(57)【要約】【課題】電力供給がなくとも微生物による分解処理を可能にする。【解決手段】トイレ装置１は、便座１０が上部に設けられ少なくともおがくずから構成された媒介３０が収納された処理槽２０と、処理槽２０内に収納されて処理槽２０内にて便座１０からの排泄物と媒介３０とを撹拌する撹拌部４０と、使用者に移動操作されて当該移動操作に連動して撹拌部４０に撹拌動作させる操作棒１００と、を有し、撹拌部４０は、水平方向に配置された回転軸５０と、回転軸５０の外周に設けた撹拌用の羽根７１〜８２とを有し、移動操作に連動して回転軸５０が回転する。【選択図】図２
2019208818.tif 000002
【特許請求の範囲】
【請求項１】
便座と、
前記便座が上部に設けられ少なくともおがくずから構成された媒介が収納された処理槽と、
前記処理槽内に収納されて前記処理槽内にて前記便座からの排泄物と前記媒介とを撹拌する撹拌手段と、
使用者に移動操作されて当該移動操作に連動して前記撹拌手段に撹拌動作させる操作手段と、を有し、
前記撹拌手段は、水平方向に配置された回転軸と、前記回転軸の外周に設けた撹拌用の羽根とを有し、前記移動操作に連動して前記回転軸が回転するトイレ装置。
【請求項２】
前記操作手段は、前記回転軸に対しラチェット機構を介して一端が取り付けられ前記回転軸の径方向に延びる棒部材であり、
前記棒部材の他端側は、前記処理槽の外に位置されて使用者に把持され、
前記回転軸は、前記棒部材の往復の移動操作が前記ラチェット構造によって一方向の回転動作に変換される請求項１に記載のトイレ装置。
【請求項３】
前記羽根は、前記処理槽内に収容された前記媒介を前記便座から下方向に見た部位に寄せ集めるように前記回転軸に設けられる請求項１又は２に記載のトイレ装置。
【請求項４】
前記操作手段は、移動操作される際に使用者に把持される部位が、当該移動操作の際に前記便座に着座した使用者の脇に位置する請求項１乃至３の何れか１項に記載のトイレ装置。
【請求項５】
前記羽根は、前記回転軸の周方向に複数配置されて列をなすとともに、前記回転軸の軸方向に複数の列をなすよう配置され、
前記回転軸の径方向における羽根の外周部は、前記回転軸が垂直に貫通する仮想的な平面に対して斜めに角度をもって配置されることで前記回転軸の周方向で前記回転軸の回転方向側の当該外周部の端部の方が前記便座から下方向に位置される前記回転軸の部位からみて前記回転軸の端部側に向いて位置され、
前記各羽根の外周部は、前記便座から下方向に位置される前記回転軸の部位側からみて隣りの列の前記羽根の外周部と重ならないように配置される請求項１乃至４の何れか１項に記載のトイレ装置。
【請求項６】
前記処理槽の底部は、前記回転軸の径方向における羽根の外周端の移動軌道に沿い半円弧形状である請求項１乃至５の何れか１項に記載のトイレ装置。
【発明の詳細な説明】
【技術分野】
【０００１】
本発明は、トイレ装置に関する。
【背景技術】
【０００２】
おがくず等の媒介を使って排泄物を微生物によって分解処理するトイレ装置が開示されている（特許文献１、２）。
【先行技術文献】
【特許文献】
【０００３】
【特許文献１】特開２００９−１８３８１９号
【特許文献２】特開平１１−２５３３５３号
【発明の概要】
【発明が解決しようとする課題】
【０００４】
従来のトイレ装置は、分解処理を促進する等の目的のため、モータを用いて媒介と排泄物とを撹拌していた。そのため、トイレ装置で分解処理するには電力が消費されていた。また、電力の供給を受けることができない僻地、電力供給のインフラが整備されていない国では、このようなトイレ装置を設置することができなかった。
本発明の目的は、電力供給がなくとも分解処理を可能にすることである。
【課題を解決するための手段】
【０００５】
前記課題を解決するために、本発明の第１の態様は、便座と、前記便座が上部に設けられ少なくともおがくずから構成された媒介が収納された処理槽と、前記処理槽内に収納されて前記処理槽内にて前記便座からの排泄物と前記媒介とを撹拌する撹拌手段と、使用者に移動操作されて当該移動操作に連動して前記撹拌手段に撹拌動作させる操作手段と、を有し、前記撹拌手段は、水平方向に配置された回転軸と、前記回転軸の外周に設けた撹拌用の羽根とを有し、前記移動操作に連動して前記回転軸が回転するトイレ装置である。
【０００６】
本発明の第２の態様では、前記操作手段は、前記回転軸に対しラチェット機構を介して一端が取り付けられ前記回転軸の径方向に延びる棒部材であり、前記棒部材の他端側は、前記処理槽の外に位置されて使用者に把持され、前記回転軸は、前記棒部材の往復の移動操作が前記ラチェット構造によって一方向の回転動作に変換されることが好ましい。
【０００７】
本発明の第３の態様では、前記羽根は、前記処理槽内に収容された前記媒介を前記便座から下方向に見た部位に寄せ集めるように前記回転軸に設けられることが好ましい。
【０００８】
本発明の第４の態様では、前記操作手段は、移動操作される際に使用者に把持される部位が、当該移動操作の際に前記便座に着座した使用者の脇に位置することが好ましい。
【０００９】
本発明の第５の態様では、前記羽根は、前記回転軸の周方向に複数配置されて列をなすとともに、前記回転軸の軸方向に複数の列をなすよう配置され、前記回転軸の径方向における羽根の外周部は、前記回転軸が垂直に貫通する仮想的な平面に対して斜めに角度をもって配置されることで前記回転軸の周方向で前記回転軸の回転方向側の当該外周部の端部の方が前記便座から下方向に位置される前記回転軸の部位からみて前記回転軸の端部側に向いて位置され、前記各羽根の外周部は、前記便座から下方向に位置される前記回転軸の部位側からみて隣りの列の前記羽根の外周部と重ならないように配置されることが好ましい。
【００１０】
本発明の第６の態様では、前記処理槽の底部は、前記回転軸の径方向における羽根の外周端の移動軌道に沿い半円弧形状であることが好ましい。
【発明の効果】
【００１１】
本発明の前記第１の態様によれば、トイレ装置は、使用者に移動操作されて当該移動操作に連動して撹拌手段に撹拌動作させるため、電力供給がなくとも分解処理可能にすることができる。
【００１２】
本発明の前記第２の態様によれば、ラチェット機構が採用されることで、使用者は、回転軸を容易に回転させて、撹拌手段を容易に撹拌動作させることができる。
【００１３】
本発明の前記第３の態様によれば、トイレ装置は、排泄物の落下位置に媒介を多く寄せ集めることで、分解をより促進させることができる。
【００１４】
本発明の前記第４の態様によれば、トイレ装置は、操作手段における使用者の把持部位を便座に着座した使用者の脇、すなわち、便座の上方に把持部位を位置させることができることで、使用者が排泄した排泄物が把持部位に付着してしまうのを防止でき、不衛生になってしまうのを防止できる。
【００１５】
本発明の前記第５の態様によれば、トイレ装置は、羽根の構造、配列によって、排泄物の落下位置に媒介を多く寄せ集めることができる。
【００１６】
本発明の前記第６の態様によれば、トイレ装置は、前記処理槽の底部が回転軸の径方向における羽根の外周端の移動軌道に沿い半円弧形状であることで、回転する羽根の外周端と処理槽との隙間を少なくし、媒介が淀む箇所を少なくすることができる。これによって、トイレ装置は、媒介を効果的に使用することができる。
【図面の簡単な説明】
【００１７】
【図１】図１は、トイレ装置の構成例を示す斜視図である。
【図２】図２は、トイレ装置の構成例を示す正面方向から見た断面図である。
【図３】図３は、トイレ装置の構成例を示す側面方向から見た断面図である。
【図４】図４は、トイレ装置の構成例を示す平面図である。
【図５】図５は、撹拌部の構成例を示す斜視図である。
【図６】図６は、撹拌部の構成例を示す正面図である。
【図７】図７は、撹拌部の構成例を示す側面図である。
【図８】図８は、操作棒の可動範囲の一例を説明する図である。
【図９】図９は、トイレ装置の設置例を示す図である。
【発明を実施するための形態】
【００１８】
本発明の実施形態を図面を参照しつつ説明する。
本実施形態では、移動自在とされているトイレ装置を挙げている。このトイレ装置は、おがくずによって人間の糞尿等の排泄物を微生物に分解させるいわゆるバイオトイレである。
【００１９】
（構成）
図１乃至図４は、トイレ装置１の構成例を示す図である。図１は斜視図であり、図２は正面方向から見た断面図であり、図３は側面方向から見た断面図であり、図４は平面図である。
図１乃至図４に示すように、トイレ装置１は、便座１０、処理槽２０、媒介３０、撹拌部４０、及び操作棒１００を有している。
【００２０】
処理槽２０は、全体として横長の略箱形状をなし、底部２７が短手方向の断面形状で略半円形状をなしている。本例では、処理槽２０は、収納部分となる本体部２２に対し蓋部分となる上面部２１が着脱できるように構成されている。処理槽２０は例えばＦＲＰ製又は、エンジニヤリング樹脂等によるインジェクション成形品である。また、処理槽２０において、本体部２２の側面部２３，２４，２５，２６は、上方側が外側に倒れる抜き勾配を有して形成されている。処理槽２０の背面側の側面部２４には、排気のための排気用孔２８が設けられている。
【００２１】
この処理槽２０の上面部２１には、長手方向の略中央に便座１０が取り付けられている。便座１０は、一般的なものであり、上側の座部１１が上下方向に回動できるように支持されている。また、処理槽２０内には、底部２７よりも多少高くなる程度の高さまで、おがくずを含む媒介３０が収納されている。また、処理槽２０内の底部２７側に撹拌部４０が配置されている。
【００２２】
媒介３０は、おがくずともみ殻から構成されている。好ましくは、おがくずともみ殻とは、体積比で１：２になるように混合されている。なお、体積比で１：２に限定されないことは言うまでもない。
撹拌部４０は、回転軸５０、及び羽根部６０を有している。回転軸５０は長尺の丸棒である。回転軸５０は、両端部５１，５２が、処理槽２０の長手方向側の側面部２５，２６にベアリング等の支持手段を介して回転可能に支持されている。また、端部５１には、処理槽２０の側面部２５から外に突出する部位に、後述のラチェット部（ラチェット装置）１１０が取り付けられている。ここで、トイレ装置１の組み立ての際には、上面部（蓋部分）２１が本体部２２から取り外された状態で、処理槽２０の本体部２２内に撹拌部４０が収納されて取り付けられる。
【００２３】
羽根部６０は、第１及び第２円管６５，６６、及び複数の羽根を有している。第１及び第２円管６５，６６は、回転軸５０が挿通されて当該回転軸５０に中間部位５３で離れるようにして配置されている。第１及び第２円管６５，６６の外周面には、複数の羽根が取り付けられている。
【００２４】
図５乃至図７は、撹拌部４０の構成例を示す図である。図５は斜視図であり、図６は正面図であり、図７は側面図である。
図５乃至図７に示すように、本例では、第１円管６５と、当該第１円管６５に取り付けられた６枚の羽根７１，７２，７３，７４，７５，７６とが羽根部６０の第１セット６１を構成し、第２円管６６と、当該第２円管６６に取り付けられた６枚の羽根７７，７８，７９，８０，８１，８２とが羽根部６０の第２セット６２を構成する。
【００２５】
ここで、回転軸５０の中間部位５３は、便座１０の位置からみて垂直下方向に位置されている。これによって、便座１０の位置から垂直下方向をみると、左右に第１及び第２セット６１，６２それぞれの羽根７１〜８２が位置されることになる。また、第１及び第２円管６５，６６は、回転軸５０に対して着脱自在とされていて、すなわち、第１及び第２セット６１，６２が回転軸５０に対して着脱自在とされていて、第１及び第２円管６５，６６が不図示のネジ等の固定手段によって回転軸５０に固定できるようになっている。これによって、第１及び第２セット６１，６２の各円管６５，６６に回転軸５０を挿通し組み立て、各円管６５，６６を不図示のネジ等の固定手段で回転軸５０に固定することで、撹拌部４０が完成される。例えば、撹拌部４０の構成する各部は、鉄製であり、錆ないようにコーティング塗装されている。
【００２６】
各羽根７１〜８２については同じ構造を有している。すなわち、各羽根７１〜８２は、各円管６５，６６に取り付けられた２本の丸棒の支持棒９１，９２によって板部材からなる外周部（扇でいうところの扇面に相当する部分）９３が支持され、全体として略扇形状をなしている。ここで、外周部９３は、羽根７１〜８２において回転軸５０の周方向に延在する部位となる。
【００２７】
第１セット６１において、羽根７１〜７６は、回転軸５０の周方向に複数枚（本例では２枚）配置されて列をなすとともに、回転軸５０の軸方向に等間隔に複数の列（本例では３列）をなすよう配置されている。第２セット６２においても同様に、羽根７７〜８２は、回転軸５０の周方向に複数枚（本例では２枚）配置されて列をなすとともに、回転軸５０の軸方向に等間隔に複数の列（本例では３列）をなすよう配置されている。また、特に図７で明確に示すように、各羽根７１〜８２は、回転軸５０の中間部位５３側又は端部５１，５２側からみて、隣りの列の羽根と重ならないように配置されている。
【００２８】
そして、各羽根７１〜８２の外周部９３は、回転軸５０が垂直に貫通する仮想平面Ａ（図６参照）に対して角度をもって位置されている、つまり、回転軸５０に対してねじれた位置関係にある。ここで、第１円管６５に取り付けられている羽根７１〜７６の外周部９３は、回転軸５０の周方向で当該回転軸５０の回転方向側の端部９３ａの方が回転軸５０の中間部位５３からみて回転軸５０の端部５１，５２側に向いて位置されている。言い換えると、第１円管６５に取り付けられている羽根７１〜７６の外周部９３は、回転軸５０の周方向で回転軸５０の回転方向側の端部９３ａにより近い部位ほど回転軸５０の中間部位５３側からみてより回転軸５０の端部５１寄りに位置されている。同様に、第２円管６６に取り付けられている羽根７７〜８２の外周部９３は、回転軸５０の周方向で回転軸５０の回転方向側の端部９３ａにより近い部位ほど回転軸５０の中間部位５３からみてより回転軸５０の端部５２寄りに位置されている。すなわち、各羽根７１〜８２の外周部９３は、回転軸５０の回転方向側の端部９３ａが当該回転方向の反対側の端部９３ｂよりも回転軸５０の端部寄りに位置されている。
【００２９】
羽根７７〜８２の外周部９３がこのような向き、位置関係になるように配置されていることで、第１セット６１の羽根７１〜７６と第２セット６２の羽根７７〜８２とは、回転軸５０の中間部位５３を境界にして対称的な向きになっている。
処理槽２０の底部２７は、このような羽根７１〜８２の外周部９３の端部（回転軸５０の径方向における外周端）９３ｃの移動軌道に沿い半円弧形状に形成されている。
【００３０】
図１乃至図４に戻り、操作棒１００は、回転軸５０の径方向に延びる棒部材からなる。回転軸５０の端部５１にラチェット機構からなるラチェット部（ラチェット装置）１１０が取り付けられている。操作棒１００は、処理槽２０外に配置され、そのラチェット部１１０を介して一端１０１が回転軸５０の端部５１に取り付けられている。ラチェット部１１０は一般的なものであり、回転軸５０は、操作棒１００の回動による往復移動がこのラチェット部１１０によって一方向の回転動作に変換される。また、操作棒１００の他端側は、使用者に把持される把持部１０２となる。
【００３１】
図８は、操作棒１００の可動範囲の一例を説明する図である。
操作棒１００は、図８（Ａ）に示す倒立状態になる第１位置と、図８（Ａ）に示す倒れ込んだ状態（寝た状態）になる第２位置との間で回動可能になっている。これにより、回転軸５０は、ラチェット部１１０によって、第１位置から倒れる方向への操作棒１００の移動で回転するが、第２位置から上方向に向く元の第１位置に戻る方向への操作棒１００の移動で回転することはない。
【００３２】
これによって、便座１０に座った使用者が、脇に位置する操作棒１００の把持部１０２を把持し、第１位置と第２位置との間で操作棒１００を往復の移動操作することで、その移動操作に連動して羽根部６０が一方向に回転し、撹拌部４０が撹拌動作する。
【００３３】
図９は、トイレ装置１の設置例を示す図である。
図９に示すように、トイレ装置１は、処理槽２０が下側が地面に埋設され、前後左右を仕切り用壁２０１，２０２，２０３，２０４に囲われるようにして設置されている。前側の仕切り用壁２０１は、使用者が出入りするための扉としての機能を有している。さらに、トイレ装置１には、上方向に延びる排気管２１０が排気用孔２８に取り付けられている。また、トイレ装置１は、処理槽２０の底部２７部分が地面に埋設されて設置されている。
【００３４】
（動作、作用等）
次に、トイレ装置１の動作、及びその作用等の一例について説明する。
使用者が便座１０に座ると、使用者の脇に操作棒１００の把持部１０２が位置される。そして、使用者は、排泄後、操作棒１００の把持部１０２を把持し操作棒１００を前後に往復移動させる。これによって、トイレ装置１の撹拌部４０では、回転軸５０とともに各羽根７１〜８２が一方向に回転する。
【００３５】
このとき、各羽根７１〜８２の外周部９３の移動によって、媒介３０が回転軸５０の中間部位５３側、すなわち処理槽２０の中央部に向かって寄せ集められるようになる。すなわち、各羽根７１〜８２の外周部９３の形状が、回転軸５０の周方向で当該回転軸５０の回転方向側の端部９３ａ側が回転軸５０の中間部位５３からみて回転軸５０の端部５１，５２側に向いて位置される形状になっていることで、各羽根７１〜８２が回転する際の外周部９３の移動によって、媒介３０が処理槽２０の中央部に向かって押されるようにして寄せ集められるようになる。
【００３６】
さらに、各羽根７１〜８２が、回転軸５０の中間部位５３側からみて隣りの列の羽根と重ならないように配置されていることで、処理槽２０の中央部に向かって寄せ集められた媒介３０が、回転軸５０の端部５１，５２側の羽根から回転軸５０の中間部位５３側の隣の列の他の羽根に円滑に送り出される。これによって、媒介３０は、効率よく処理槽２０の中央部に寄せ集められるようになる。そして、媒介３０は、処理槽２０の中央部に寄せ集められるものの、処理槽２０の中央部で盛り上がりその後横方向に崩れる。
【００３７】
よって、媒介３０は、撹拌部４０の羽根７１〜８２の回転によって、処理槽２０の中央部に寄せ集められて処理槽２０全体でも循環するが、便座１０の下方に位置する処理槽２０の中央部付近でも循環するようになる。これによって、排泄された排泄物は、媒介３０と効率よく撹拌されるため、分解がより促進される。
【００３８】
（本実施形態における効果）
（１）トイレ装置１は、使用者に移動操作されて当該移動操作に連動して撹拌部４０に撹拌動作させるため、電力供給がなくとも分解処理可能にすることができる。
（２）ラチェット機構が採用されることで、使用者は、回転軸５０を容易に回転させて、撹拌部４０を容易に撹拌動作させることができる。
【００３９】
（３）トイレ装置１は、便座１０の直下の排泄物の落下位置に媒介３０を多く寄せ集めることで、分解をより促進させることができる。
（４）トイレ装置１は、操作棒１００の把持部１０２を便座１０に着座した使用者の脇、すなわち、便座１０の上方に操作棒１００の把持部１０２を位置させることができることで、使用者が排泄した排泄物が操作棒１００の把持部１０２に付着してしまうのを防止でき、不衛生になってしまうのを防止できる。
【００４０】
（５）トイレ装置１は、羽根７１〜８２の構造、配列が特徴的であることで、排泄物の落下位置に媒介を多く寄せ集めることができる。
（６）トイレ装置１は、処理槽２０の底部２７が回転軸５０の径方向における羽根７１〜８２の外周端の移動軌道に沿い半円弧形状であることで、回転する羽根７１〜８２の外周端と処理槽２０との隙間を少なくし、処理槽２０内で媒介３０が淀む箇所を少なくすることができる。これによって、トイレ装置１は、媒介３０を効率良く使用することができる。
【００４１】
（７）トイレ装置１は、処理槽２０の側面部２３，２４，２５，２６に抜き勾配が設けられていることで、処理槽２０を金型で形成し易くするとともに、設置後の撤去作業を容易にすることができる。すなわち、トイレ装置１は、設置時に処理槽２０の下側が地面に埋設されるが、側面部２３，２４，２５，２６に抜き勾配が設けられていることで、埋設箇所から容易に抜き出すことができ容易に撤去できるようになる。
【００４２】
なお、前述の実施形態では、撹拌部４０は、例えば、撹拌手段を構成する。また、操作棒１００は、例えば、操作手段を構成する。
【００４３】
（本実施形態の変形例等）
前記の実施形態の他の例として、トイレ装置１は、使用者が手動で撹拌部４０に撹拌動作させることができるものであれば、撹拌部４０を他の構造によって実現されることもできる。
また、前記の実施形態の他の例として、羽根７１〜８２は、円管６５，６６を介在させることなく、回転軸５０に直接形成されることもできる。
【００４４】
また、前記の実施形態の他の例として、羽根７１〜８２は、処理槽２０内に収納された媒介３０を回転軸５０の中間部位５３側に寄せ集めることができるものであれば、他の形状、他の配置、他の数によって実現されることもできる。
【００４５】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００４６】
１  トイレ装置、１０  便座、２０  処理槽、３０  媒介、４０  撹拌部、５０  回転軸、７１〜８２  羽根、１００  操作棒、１１０  ラチェット部
【図１】
2019208818.tif 000003
【図２】
2019208818.tif 000004
【図３】
2019208818.tif 000005
【図４】
2019208818.tif 000006
【図５】
2019208818.tif 000007
【図６】
2019208818.tif 000008
【図７】
2019208818.tif 000009
【図８】
2019208818.tif 000010
【図９】
2019208818.tif 000011